(57)【要約】【課題】より効率的に定着を行うことができる定着装置を提供する。【解決手段】定着装置は、デジタル複合機の電源が投入されると、ヒータへの通電を開始する（Ｓ１１）。ヒータへの通電と共に、定着ベルトの間欠回転を行う（Ｓ１２）。その後、定着ベルトの温度がターゲット温度Ｔｘに達したか否かを判断する（Ｓ１３）。定着ベルトの温度がターゲット温度Ｔｘに達したと判断した場合には（Ｓ１３において、ＹＥＳ）、定着ベルトの全回転を行う（Ｓ１４）。その後、定着ベルトの温度が定着温度Ｔｒに達したか否かを判断する（Ｓ１５）。定着ベルトの温度が定着温度Ｔｒに達したと判断した場合には（Ｓ１５において、ＹＥＳ）、ヒータへの通電を停止する（Ｓ１６）。【選択図】図３
2010266565.tif 000002
【特許請求の範囲】
【請求項１】
用紙に転写されたトナーの用紙への定着を行なう定着装置であって、
トナーを用紙に定着可能な定着温度まで加熱され、所定の位置で、トナーが転写された用紙の面と当接してトナーを用紙に定着させる定着ベルトと、
前記定着ベルトを回転させて、前記トナーが転写された用紙の面と前記定着ベルトとを順次当接させる定着ベルト回転手段と、
前記所定の位置と異なる位置に設けられ、前記定着ベルトを加熱する加熱手段と、
前記定着ベルトの温度を検知する定着ベルト温度検知手段と、
前記定着ベルト温度検知手段により検知した前記定着ベルトの温度が前記定着温度よりも低いターゲット温度に達するまでは、前記定着ベルトを間欠駆動させ、前記定着ベルトの温度が前記ターゲット温度に達すれば、前記定着ベルトを全回転させるよう前記定着ベルト回転手段を制御する制御手段とを備える、定着装置。
【請求項２】
前記定着ベルト回転手段は、前記定着ベルトの内方側に配置され、前記定着ベルトの内方側の面と当接して前記定着ベルトを回転させる定着ローラと、
トナーが転写された用紙の搬送経路を挟み、前記定着ベルトを介して前記定着ローラに押圧するように設けられる加圧ローラとを含む、請求項１に記載の定着装置。
【請求項３】
前記加圧ローラの温度を検知する加圧ローラ温度検知手段を含み、
前記制御手段は、前記加圧ローラ温度検知手段により検知した温度が所定の温度に達すれば、定着を行なう、請求項２に記載の定着装置。
【請求項４】
前記定着ベルト回転手段は、電源のオンオフにより前記定着ベルトを間欠駆動させるクラッチを含む、請求項１〜３のいずれかに記載の定着装置。
【請求項５】
前記加熱手段は、略筒状であって、その内部にヒータが設けられ、前記定着ベルトの内方側に配置される加熱ローラを含む、請求項１〜４のいずれかに記載の定着装置。
【請求項６】
トナーにより画像を形成して用紙に転写する画像形成部と、用紙に転写されたトナーの用紙への定着を行なう定着装置とを含む画像形成装置であって、
前記定着装置は、トナーを用紙に定着可能な定着温度まで加熱され、所定の位置で、トナーが転写された用紙の面と当接してトナーを用紙に定着させる定着ベルトと、
前記定着ベルトを回転させて、前記トナーが転写された用紙の面と前記定着ベルトとを順次当接させる定着ベルト回転手段と、
前記所定の位置と異なる位置に設けられ、前記定着ベルトを加熱する加熱手段と、
前記定着ベルトの温度を検知する定着ベルト温度検知手段と、
前記定着ベルト温度検知手段により検知した前記定着ベルトの温度が前記定着温度よりも低いターゲット温度に達するまでは、前記定着ベルトを間欠駆動させ、前記定着ベルトの温度が前記ターゲット温度に達すれば、前記定着ベルトを全回転させるよう前記定着ベルト回転手段を制御する制御手段とを備える、画像形成装置。
【発明の詳細な説明】
【技術分野】
【０００１】
この発明は、定着装置および画像形成装置に関するものであり、特に、定着ベルトを備えた定着装置およびこのような定着装置を含む画像形成装置に関するものである。
【背景技術】
【０００２】
従来において、定着における加熱ムラを低減するために、トナーを転写させた用紙と当接する定着ベルトを備えた定着装置がある。定着ベルトは、一般的には、ゴムのような熱を奪われにくい材質によって構成されている。定着ベルトを用いた定着装置においては、定着時において用紙に熱を奪われにくいメリットがある。このような定着ベルトを用いた定着装置については、特開２００２−２７８３３４号公報（特許文献１）に開示されている。
【先行技術文献】
【特許文献】
【０００３】
【特許文献１】特開２００２−２７８３３４号公報（段落番号００６５、図７等）
【発明の概要】
【発明が解決しようとする課題】
【０００４】
特許文献１によると、定着装置は、無端状の定着ベルトを備える。そして、定着ベルトと離設するようにして、定着ベルトの外方側に設けられたハロゲンヒータによって、定着ベルトを加熱している。定着ベルトの加熱時においては、定着ベルトの全体を加熱する必要があるため、定着ベルトを回転させる必要がある。また、定着においては、定着装置に含まれる加圧ローラ等の他部材についてもある程度の温度まで加熱する必要がある。
【０００５】
ここで、特許文献１においては、ハロゲンヒータの電源がオンとなってから、定着可能となるまでに達する時間を短くし、かつ、定着装置を構成する各部材に逃げていく熱をできるだけ少なくするために、温度上昇時において、定着ベルトが定着温度に達するまで定着ベルトを間欠的に回転させることとしている。具体的には、ハロゲンヒータのオン、オフのサイクルを２回繰り返すこととしている。
【０００６】
しかし、このような構成によっても、定着ベルトが定着温度に達するまでの時間が長くなる場合があり、必ずしも効率的とはいえない。
【０００７】
この発明の目的は、より効率的に定着を行うことができる定着装置を提供することである。
【０００８】
この発明の他の目的は、より効率的に定着を行なうことができる画像形成装置を提供することである。
【課題を解決するための手段】
【０００９】
この発明に係る定着装置は、用紙に転写されたトナーの用紙への定着を行なう。定着装置は、トナーを用紙に定着可能な定着温度まで加熱され、所定の位置で、トナーが転写された用紙の面と当接してトナーを用紙に定着させる定着ベルトと、定着ベルトを回転させて、トナーが転写された用紙の面と定着ベルトとを順次当接させる定着ベルト回転手段と、所定の位置と異なる位置に設けられ、定着ベルトを加熱する加熱手段と、定着ベルトの温度を検知する定着ベルト温度検知手段と、定着ベルト温度検知手段により検知した定着ベルトの温度が定着温度よりも低いターゲット温度に達するまでは、定着ベルトを間欠駆動させ、定着ベルトの温度がターゲット温度に達すれば、定着ベルトを全回転させるよう定着ベルト回転手段を制御する制御手段とを備える。
【００１０】
好ましくは、定着ベルト回転手段は、定着ベルトの内方側に配置され、定着ベルトの内方側の面と当接して定着ベルトを回転させる定着ローラと、トナーが転写された用紙の搬送経路を挟み、定着ベルトを介して定着ローラに押圧するように設けられる加圧ローラとを含む。
【００１１】
さらに好ましくは、加圧ローラの温度を検知する加圧ローラ温度検知手段を含み、制御手段は、加圧ローラ温度検知手段により検知した温度が所定の温度に達すれば、定着を行なう。
【００１２】
また、定着ベルト回転手段は、電源のオンオフにより定着ベルトを間欠駆動させるクラッチを含むよう構成してもよい。
【００１３】
さらに好ましくは、加熱手段は、略筒状であって、その内部にヒータが設けられ、定着ベルトの内方側に配置される加熱ローラを含む。
【００１４】
この発明の他の局面において、画像形成装置は、トナーにより画像を形成して用紙に転写する画像形成部と、用紙に転写されたトナーの用紙への定着を行なう定着装置とを含む。定着装置は、トナーを用紙に定着可能な定着温度まで加熱され、所定の位置で、トナーが転写された用紙の面と当接してトナーを用紙に定着させる定着ベルトと、定着ベルトを回転させて、トナーが転写された用紙の面と定着ベルトとを順次当接させる定着ベルト回転手段と、所定の位置と異なる位置に設けられ、定着ベルトを加熱する加熱手段と、定着ベルトの温度を検知する定着ベルト温度検知手段と、定着ベルト温度検知手段により検知した定着ベルトの温度が定着温度よりも低いターゲット温度に達するまでは、定着ベルトを間欠駆動させ、定着ベルトの温度がターゲット温度に達すれば、定着ベルトを全回転させるよう定着ベルト回転手段を制御する制御手段とを備える。
【発明の効果】
【００１５】
このような構成の定着装置によれば、定着温度よりも低いターゲット温度に達するまでは、定着ベルトを間欠的に駆動し、ターゲット温度に達した後は、定着ベルトを全回転するよう制御する。そうすると、短時間で定着ベルトを定着可能な温度として、定着を行うことができるようにすることができる。したがって、このような定着装置は、より効率的に定着を行うことができる。
【００１６】
また、このような定着装置を含む画像形成装置についても、より効率的に定着を行なうことができる。
【図面の簡単な説明】
【００１７】
【図１】この発明の一実施形態に係る定着装置を含むデジタル複合機の全体構成を示すブロック図である。
【図２】この発明の一実施形態に係る定着装置の要部を示す概略断面図である。
【図３】デジタル複合機に電源を投入した際の定着装置を制御する場合の動作を示すフローチャートである。
【図４】定着ベルトおよび加圧ローラの温度と経過時間との関係を示すグラフである。
【発明を実施するための形態】
【００１８】
以下、この発明の実施の形態を、図面を参照して説明する。図１はこの発明の一実施形態に係る定着装置を含む画像形成装置をデジタル複合機１０に適用した場合のデジタル複合機１０の構成を示すブロック図である。図１を参照して、デジタル複合機１０は、ＣＰＵを有し、デジタル複合機１０全体を制御する制御部１１と、画像データ等の書込みや読出しを行うためのＤＲＡＭ１２と、デジタル複合機１０の有する情報を表示する表示画面を含み、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿の画像を所定の読取り位置で読取る画像読取り部１５と、画像読取り部１５で読取られた原稿等からその画像を形成する画像形成部１６と、画像データ等を格納するハードディスク１７と、公衆回線２０に接続されるＦＡＸ通信部１８と、ネットワーク２１と接続するためのネットワークＩＦ（インターフェース）部１９とを含む。
【００１９】
画像形成部１６は、感光体（図示せず）上に形成したトナーによる画像を用紙に転写する転写部（図示せず）を含む。また、デジタル複合機１０は、転写部によって用紙に転写されたトナーを用紙に定着させる定着装置２３を備える。すなわち、デジタル複合機１０は、画像形成部１６により形成されたトナーによる画像を用紙に定着させる定着装置２３を備える。なお、定着装置２３の構成および制御の詳細については、後述する。
【００２０】
制御部１１は、画像読取り部１５から出力される原稿データをＤＲＡＭ１２に圧縮符号化して書き込み、ＤＲＡＭ１２に書き込んだデータを読出し、伸張符号化して画像形成部１６により出力する。
【００２１】
デジタル複合機１０は、画像読取り部１５により読取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読取られた原稿の画像データを、ＦＡＸ通信部１８を通じて公衆回線２０に画像データを送信することにより、ファクシミリ装置として作動する。
【００２２】
なお、図１において太線の矢印は画像データの流れを示しており、細線の矢印は制御信号または制御データの流れを示している。
【００２３】
ここで、定着装置２３の詳細について説明する。図２は、定着装置２３の要部を示す概略断面図である。図２に示す断面は、後述する定着ローラの回転時の回転軸線に垂直な平面で定着装置２３を切断した場合に相当する。
【００２４】
図１および図２を参照して、定着装置２３は、上述したように、用紙に転写されたトナーの用紙への定着を行なう。定着装置２３は、所定の位置で、トナーが転写された用紙Ｐの面と当接する定着ベルト２４と、定着ベルト２４を回転させて、トナーが転写された用紙Ｐの面と定着ベルト２４とを順次当接させる定着ベルト回転手段としての定着ローラ２５およびモータ２６と、所定の位置と異なる位置に設けられ、定着ベルト２４を加熱する加熱手段としての加熱ローラ２７と、定着ベルト２４の温度を検知する定着ベルト温度検知手段としての第一のサーミスタ２８とを備える。
【００２５】
定着ベルト２４は、弾性を有するゴム状部材で構成されている。定着ローラ２５は、略円筒状の部材である。定着ローラ２５は、定着ベルト２４の内方側に配置され、定着ベルト２４の内方側の面と当接するようにして設けられる。定着ベルト２４の周方向の長さは、定着ローラ２５の円周長さよりも長く構成されている。定着ローラ２５の回転中心には、回転軸３３が設けられている。すなわち、定着ローラ２５は、回転軸３３を中心に回転する。定着ローラ２５の回転に伴って、定着ベルト２４も回転する。すなわち、定着ローラ２５と定着ベルト２４とは、連動して回転する。また、モータ２６は、定着ローラ２５の回転駆動源となる。なお、図２において、モータ２６は、一点鎖線で示している。
【００２６】
加熱ローラ２７は、略筒状である。加熱ローラ２７は、定着ベルト２４の内方側に配置され、加熱ローラ２７の外方側の面が、定着ベルト２４の内方側の面に当接するようにして設けられる。加熱ローラ２７の内方側には、それぞれハロゲンヒータからなるメインヒータ２９およびサブヒータ３０が設けられている。メインヒータ２９およびサブヒータ３０はそれぞれ発熱量が異なるよう構成されている。このように構成することにより、より適切に定着ベルト２４の温度制御を行なうことができる。
【００２７】
第一のサーミスタ２８は、定着ベルト２４と加熱ローラ２７とが当接する領域において、定着ベルト２４の表面の一部に接するように設けられている。第一のサーミスタ２８は、定着装置２３の所定の箇所に固定されており、回転する定着ベルト２４の温度を検知可能に構成されている。
【００２８】
定着装置２３は、トナーが転写された用紙Ｐの搬送経路３４を挟み、定着ベルト２４を介して定着ローラ２５に押圧するように設けられる加圧ローラ３１と、加圧ローラ３１の温度を検知する加圧ローラ温度検知手段としての第二のサーミスタ３２とを含む。
【００２９】
加圧ローラ３１についても略筒状であり、弾性を有する。加圧ローラ３１は、定着ベルト２４から伝えられる熱により加熱される。
【００３０】
第二のサーミスタ３２は、加圧ローラ３１の表面の一部に接するように設けられている。第二のサーミスタ３２についても、定着装置２３の所定の箇所に固定されており、回転する加圧ローラ３１の温度を検知可能に構成されている。
【００３１】
定着時において、トナーが転写された用紙Ｐは、搬送経路３４を図２中の矢印ＩＩで示す方向に搬送される。ここで、定着ローラ２５および加圧ローラ３１はそれぞれ、図２中の矢印Ａ１、Ａ２で示す方向に回転している。定着装置２３は、画像形成部１６からトナーによる画像が転写された用紙Ｐが搬送されると、定着ベルト２４を介して定着ローラ２５と加圧ローラ３１との間のニップしている領域において、用紙Ｐを押圧しながら加熱する。このようにして、トナーを用紙に定着させる。すなわち、上記した所定の位置とは、定着ベルト２４のうち、定着ローラ２５と加圧ローラ３１との間のニップしている領域に該当する位置となる。また、加熱ローラ２７は、定着ローラ２５と加圧ローラ３１との間のニップしている領域と異なる位置に設けられている。具体的には、加熱ローラ２７は、定着ローラ２５の上方側において、定着ローラ２５と間隔を開けて設けられている。なお、上記した定着装置２３を構成する各部材についても、デジタル複合機１０に備えられる制御部１１によって制御される。
【００３２】
ここで、デジタル複合機１０の立上げ時、すなわち、デジタル複合機１０の電源がオンされた場合について考える。デジタル複合機１０の立上げ前、定着ベルト２４は、室温に近い状態である。そして、デジタル複合機１０が立ち上げられると、定着ベルト２４を定着可能な温度まで加熱する。この場合、制御部１１は、第一のサーミスタ２８により検知した定着ベルト２４の温度が定着温度Ｔｒよりも低いターゲット温度Ｔｘに達するまでは、定着ベルト２４を間欠駆動させ、定着ベルト２４の温度がターゲット温度Ｔｘに達すれば、定着ベルト２４を全回転させるようモータ２６等を制御する。この定着制御については、後述する。
【００３３】
次に、この発明の一実施形態に係るデジタル複合機１０に電源を投入した際の定着装置２３を制御する場合について説明する。図３は、この場合における制御部１１の動作を示すフローチャートである。図４は、定着ベルト２４および加圧ローラ３１の温度と、経過時間との関係を示すグラフである。図４において、縦軸は定着ベルト２４および加圧ローラ３１の温度を示し、横軸は、経過時間を示す。図４においては、それぞれ上方向、右方向に向かってその数値が大きくなる。ここで、定着温度Ｔｒとしては、例えば、１６５℃が選択され、定着温度Ｔｒよりも低いターゲット温度Ｔｘとしては、例えば、１１０℃が選択される。また、加圧ローラ３１の温度としての所定の温度Ｔｙは、例えば、８０℃や１５０℃が選択される。
【００３４】
また、図４において、この発明の一実施形態に係る定着装置２３において制御された定着ベルト２４および加圧ローラ３１の温度をそれぞれ、図４中の実線３５ａおよび点線３６ａで示す。なお、参考として、図４中の実線３５ｂにおいて、定着ベルト２４を回転させない場合の定着ベルト２４の温度を示し、図４中の実線３５ｃにおいて、定着ベルト２４を全回転させた場合の定着ベルト２４の温度を示す。また、図４中の点線３６ｂにおいて、定着ベルト２４を回転させない場合の加圧ローラ３１の温度を示し、図４中の点線３６ｃにおいて、定着ベルト２４を全回転させた場合の加圧ローラ３１の温度を示す。
【００３５】
図１〜図４を参照して、デジタル複合機１０の電源が投入されると、定着ベルト２４の温度を上昇させる制御が行なわれる。具体的には、メインヒータ２９およびサブヒータ３０への通電を開始する（図３において、ステップＳ１１、以下、ステップを省略する）。メインヒータ２９およびサブヒータ３０への通電と共に、定着ベルト２４の間欠回転を行う（Ｓ１２）。この場合、定着ローラ２５を間欠駆動して、定着ベルト２４の間欠回転を行う。ここでいう間欠回転については、例えば、定着ローラ２５の回転時間を３秒とし、停止時間を１秒といった具合である。
【００３６】
その後、第一のサーミスタ２８によって、定着ベルト２４の温度がターゲット温度Ｔｘに達したか否かを判断する（Ｓ１３）。この場合の判断は、所定のタイミングで行うこととしてもよいし、定着ベルト２４の温度がターゲット温度Ｔｘに達するまで随時行ってもよい。すなわち、定着ベルト２４の温度がターゲット温度Ｔｘに達するまで、定着ベルト２４の間欠回転を行なう。この場合、図４中の実線３５ａで示すように、間欠回転のサイクルは、定着ベルト２４の温度の上昇および低下で表されることとなる。ここでは、６サイクルのオンオフの間欠回転を行なうよう制御されている。
【００３７】
定着ベルト２４の温度がターゲット温度Ｔｘに達したと判断した場合には（Ｓ１３において、ＹＥＳ）、定着ベルト２４の全回転を行う（Ｓ１４）。すなわち、定着ベルト２４の間欠回転を停止して、定着ベルト２４を常に回転させるようにする。この場合、定着ローラ２５を全駆動して、定着ベルト２４の全回転を行う。なお、図４中の時間Ｓｘで定着ベルト２４の温度がターゲット温度Ｔｘに達した時間を示している。
【００３８】
その後、定着ベルト２４の温度が定着温度Ｔｒに達したか否かを判断する（Ｓ１５）。定着ベルト２４の温度が定着温度Ｔｒに達したと判断した場合には（Ｓ１５において、ＹＥＳ）、メインヒータ２９およびサブヒータ３０への通電を停止する（Ｓ１６）。このようにして定着ベルト２４への熱の供給を停止する。なお、図４中の時間Ｓｙで定着ベルト２４の温度が定着温度Ｔｒに達した時間を示している。そして、定着が可能なレディ状態になったとして、画像形成部１６において画像を形成し、定着装置２３による定着を行う。
【００３９】
このような構成の定着装置２３によれば、定着温度Ｔｒよりも低いターゲット温度Ｔｘに達するまでは、定着ベルト２４を間欠的に駆動し、ターゲット温度Ｔｘに達した後は、定着ベルト２４を全回転するよう制御する。そうすると、短時間で定着ベルト２４を定着可能な温度として、定着を行うことができるようにすることができる。したがって、このような定着装置２３は、より効率的に定着を行うことができる。
【００４０】
これを、図４を用いて具体的に説明する。図４に示す実線３５ｂおよび点線３６ｂから分かるように、定着ベルト２４を回転させない場合において、定着ベルト２４の温度は短い時間Ｓ１で定着温度Ｔｒに達する。しかし、加圧ローラ３１の温度が所定の温度Ｔｙに達するまでの時間は長い時間Ｓ２を要するため、結果として定着を行なうのに長時間を要することになる。また、図４に示す実線３５ｃおよび点線３６ｃから分かるように、定着ベルト２４を全回転させた場合において、加圧ローラ３１の温度は短い時間Ｓ３で所定の温度Ｔｙに達する。しかし、定着ベルト２４の温度が定着温度Ｔｒに達するまでの時間は長い時間Ｓ４を要するため、結果として定着を行なうのに長時間を要することになる。
【００４１】
これらに対し、図４に示す実線３５ａおよび点線３６ａから分かるように、定着ベルト２４をターゲット温度Ｔｘまで間欠回転させ、その後全回転させた場合においては、定着ベルト２４および加圧ローラ３１の双方は比較的短時間でそれぞれ、定着温度Ｔｒおよび所定の温度Ｔｙに達する。ここでは、定着ベルト２４の温度が定着温度Ｔｒに達する時間Ｓｙが経過した後、定着可能となる。したがって、このような定着制御によれば、より効率的に定着を行うことができるようにすることができる。なお、定着ベルト２４が定着温度Ｔｒに達するまでずっと間欠回転させた場合においては、この発明に係る定着制御により定着ベルト２４が定着温度Ｔｒに達する時間Ｓｙよりも長くなる。
【００４２】
以上より、このような構成の定着装置２３によれば、短時間で定着ベルト２４を定着可能な温度として、定着を行うことができるようにすることができる。したがって、このような定着装置２３は、より効率的に定着を行うことができる。
【００４３】
また、このような定着装置２３を含むデジタル複合機１０についても、より効率的に定着を行なうことができる。
【００４４】
また、第二のサーミスタにおいて、検知した温度が所定の温度に達すれば、定着を行なうよう構成してもよい。すなわち、上記した構成においては、所定の温度Ｔｙに達する時間よりも定着温度Ｔｒに達する時間を遅くするよう構成することとしたが、このように構成することにより、加圧ローラが所定の温度Ｔｙに確実に達してから定着をするため、より確実に適切な定着を行なうことができる。
【００４５】
なお、上記の実施の形態においては、定着ベルトを加熱する加熱手段として、略筒状であって、その内部にヒータが設けられ、前記定着ベルトの内方側に配置される加熱ローラを含むよう構成したが、これに限らず、定着ベルトの外方側に配置されるものであってもよい。また、ヒータとしてハロゲンヒータを用いたが、もちろん他の形式のヒータであっても構わない。さらには、ヒータを３つ以上の構成としてもよいし、１つの構成であってもよい。さらに、加熱ローラ等を複数設ける構成としてもよい。
【００４６】
また、上記の実施の形態において、モータは、電源のオンオフにより定着ベルトを間欠駆動させるクラッチを含む構成としてもよい。具体的には、上記したデジタル複合機の構成の場合、定着ベルトを回転させる定着ローラを、クラッチにより間欠駆動するようにする。このように構成することにより、より適切に、定着ベルトの間欠駆動を制御することができる。
【００４７】
なお、上記の実施の形態においては、定着装置は、デジタル複合機に含まれる制御部で制御することにしたが、これに限らず、定着装置が独自に制御部を有し、この制御部により、定着装置全体を制御するよう構成してもよい。
【００４８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４９】
この発明に係る定着装置および画像形成装置は、ファーストコピーまでのユーザの待ち時間の短縮が要求される場合に、有効に利用される。
【符号の説明】
【００５０】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、２３  定着装置、２４  定着ベルト、２５  定着ローラ、２６  モータ、２７  加熱ローラ、２８，３２  サーミスタ、２９，３０  ヒータ、３１  加圧ローラ、３３  回転軸、３４  搬送経路、３５ａ，３５ｂ，３５ｃ  実線、３６ａ，３６ｂ，３６ｃ  点線。
【図１】
2010266565.tif 000003
【図２】
2010266565.tif 000004
【図３】
2010266565.tif 000005
【図４】
2010266565.tif 000006